(57)【特許請求の範囲】
【請求項１】
収納部と、収納部を上方の格納位置に収容すると共に収納部の出入り方向面と下面とが開放された収容部と、収納部の１つの支持支点を自由端部に支持して回動支点まわりの回動にて前記格納位置とその真下で且つ収納部が前記収容部の下端から露出する出し入れ位置とに昇降させる支持部材と、この支持部材の回動に連動して収納部を所定の姿勢に規制する姿勢規制手段とを備え、支持部材は１本のアームであり、姿勢規制手段は回動支点と同心で非回転に設けられた固定輪と、収納部の支持支点と同心で収納部と一体に回動する回動輪と、これら固定輪と回動輪とに掛け渡したベルトとにより構成し、収納部の相対向する両側にある支持支点を一対の支持部材により支持し、これら一対の支持部材を同期回動させるように双方を連結する連結軸を備え、この連結軸を収容部内の収納部が出し入れ位置へ向かうのとは反対側の上方隅角部に設け、回動支点まわりに回動自在で支持部材に固定された連動輪とこの連動輪より外形が小さく回動自在とした前記連結軸との間に連動ベルトを掛け渡したことを特徴とする昇降収納装置。
【請求項２】
収容部は前面に扉を備え、下降した収納部が出し入れ位置にある状態では、収納部及び支持部材は前記扉の内面よりも後方に位置し、扉を閉じることができるように形成された請求項１に記載の昇降収納装置。
【請求項３】
収容部は作業台の上にあり、収納部の下降位置または出し入れ位置は作業台と収容部との間のアイレベルに対応する高さである請求項１、２のいずれか一項に記載の昇降収納装置。
【請求項４】
支持部材に働く収納部による回動トルクを軽減または相殺する釣り合い手段を設けた請求項１〜３のいずれか一項に記載の昇降収納装置。
【請求項５】
収納部は電気機器保持台で、これに電気機器接続のためのコンセントを設け、このコンセントへの電源接続が格納位置でオフ、出し入れ位置でオンとなることを特徴とする請求項１〜４のいずれか一項に記載の昇降収納装置。
【請求項６】
収納部は水切り、水受けを備えた食器配列台で、出し入れ位置において食器を収容し、格納位置に上昇して収容部に設けられた温風発生器により食器を乾燥させる食器乾燥機として構成した請求項１〜５のいずれか一項に記載の昇降収納装置。
【請求項７】
支持部材は回動支点から前後方向への回動可能に構成され、格納位置にある収容部を任意方向に回動させて昇降移動させる請求項１〜６のいずれか一項に記載の昇降収納装置。
【発明の詳細な説明】
【０００１】
【発明の属する技術分野】
本発明は、厨房等の場所で使用する収納部を作業に支障のない上方に配置し、必要に応じて出し入れ自由な下方位置に降下させる昇降動作を行うことができる昇降収納装置に関するものである。
【０００２】
【従来の技術】
収納部を上方位置と下方位置との間に昇降させる方法として、収納部を鉛直線上に直線的に昇降させることが考えられるが、収納部に収納した物品の重量が増したとき、上昇させることが困難になるため、より軽い力で上昇させることができるように、回動により昇降する収納部の昇降装置が提案されている。図９は回動による収納部の昇降装置の従来例を示すもので、リンク機構より収納部を回動させて昇降できるように構成されている。
【０００３】
この昇降装置は、図９に示すように、厨房の流し台ｄ等の作業台の上方に配置したキャビネットｃ内に収容された収納部ａを下方位置との間に昇降できるように構成されている。収納部ａがキャビネットｃ内に収容されている状態では流し台ｄを使用する作業に支障はなく、必要に応じてキャビネットｃの扉を開いて収納部ａを引き下ろすと、自由に出し入れのできる下方位置に降下させることができる。収納部ａはキャビネットｃに回動自在に取り付けられた平行リンクｂの自由端に支持されているので、収納部ａはキャビネットｃ内と手前下方位置とに回動させて昇降動作を行うことができる。
【０００４】
このような厨房だけでなく、上方空間を物品の収納場所としてキャビネット類を配置することがなされるが、物の出し入れに踏み台等を用いないと自由に出し入れができないので、上記のように収納部ａを昇降できるように構成すると上方空間に設けた収納部の有効活用を図ることができる。
【０００５】
【発明が解決しようとする課題】
しかしながら、上記構成では収納部ａはキャビネットｃの手前側が下降位置となるので、収納部ａを下降させた状態では流し台等の作業台での作業ができなくなることや、昇降する高さ距離が小さいためキャビネットｃをあまり高い位置に配置することができない問題点があった。
【０００６】
本発明の目的とするところは、収納部を約１８０度の回動により上方位置とその真下の下方位置との間に昇降させることができる昇降収納装置を提供することにある。
【０００７】
【課題を解決するための手段】
上記目的を達成するための第１発明は、収納部と、収納部を上方の格納位置に収容すると共に収納部の出入り方向面と下面とが開放された収容部と、収納部の１つの支持支点を自由端部に支持して回動支点まわりの回動にて前記格納位置とその真下で且つ収納部が前記収容部の下端から露出する出し入れ位置とに昇降させる支持部材と、この支持部材の回動に連動して収納部を所定の姿勢に規制する姿勢規制手段とを備え、支持部材は１本のアームであり、姿勢規制手段は回動支点と同心で非回転に設けられた固定輪と、収納部の支持支点と同心で収納部と一体に回動する回動輪と、これら固定輪と回動輪とに掛け渡したベルトとにより構成し、収納部の相対向する両側にある支持支点を一対の支持部材により支持し、これら一対の支持部材を同期回動させるように双方を連結する連結軸を備え、この連結軸を収容部内の収納部が出し入れ位置へ向かうのとは反対側の上方隅角部に設け、回動支点まわりに回動自在で支持部材に固定された連動輪とこの連動輪より外径が小さく回動自在とした前記連結軸との間に連動ベルトを掛け渡したことを特徴とする昇降収納装置である。
【０００８】
このように収納部を回動により上方位置からその真下の下方位置に降下できるようにすると昇降距離が大きくなり、上方位置をより高い位置に設定しても下降させれば自由に収納した物品を出し入れすることができる。また、下降させた下方位置が上方位置の真下であると、収納部の前面への突出がなく、下方に作業台等があっても下降させたままの状態で作業に支障をきたすことが少なく、収納部への物品の出し入れを伴う作業を行うこともできる。更に、上方位置からその真下の下方位置への昇降は、直線的な移動でなく回動させることによって行うので、垂直方向への昇降動作に比べ昇降動作、特に上昇方向への移動を楽に行うことができる。
また、支持部材による１点支持の回動であっても、回動支点に固定された固定輪と収納部の支持支点に固定された回動輪との間にベルトが掛け渡されているので、回動輪は姿勢維持ベルトの緊張を受けて収納部の姿勢が傾くことが規制され一定の姿勢が維持される。
さらに、一対の支持部材を連結軸で双方を連結することにより同期回動できるようにすると共に、この連結軸は収容部の上方隅角部に設けることにより収容部内に無駄なスペースを設けることなく配設することができる。
特に、連動輪と連結軸との間に連動ベルトを掛け渡して両側の支持部材を同期して回動させるとき、連結軸の外径が連動輪の外径より小さい関係から減速による回動速度を抑制するトルクが支持部材に加わり収納部の降下時に収納部の重量により急激に降下することが抑えられる。
【００１０】
また、収納部は１つの支持支点を回動する支持部材の自由端部に支持されて回動し、上昇位置の下の下降位置との間に昇降されるが、回動時の収納部の姿勢は姿勢規制手段により所定の姿勢に保たれるので、収納部は一定の姿勢を維持して回動させ昇降させることができる。
【００１１】
更に、収納部を上昇位置で引出し可能に収容し格納する収容部により、昇降機構の支持部とすると共に、この機構部分を含んで収納部を収容することができるので美観上からも機構部分の保護上からも適した構造とすることができる。
【００１３】
特に、上記構成では、収納部は上昇位置では収容部内の格納位置にあり、下降させるときには収容部の開放部から収納部を引き出すことにより支持部材の回動により下降し収容部の真下の引出し位置に収納部の一部を収容部から露出した状態で停止する。収容部は収納部を格納できる高さ寸法に形成しておくことにより、収納部を格納したときの下方空間を大きくとることができ、作業台等の上方に収容部を配置したときにも作業に支障を与えない。収納部を下降させたときには収容部の真下にその下端から露出した状態の出し入れ位置に移動するので、使用しやすい高さとなる。
【００１５】
また、収容部は作業台の上にあり、収納部の下降位置または出し入れ位置は作業台と収容部との間のアイレベルに対応する高さとして構成することができ、収容部から収納部を下降させたとき、その下降位置または引出し位置はアイレベルとなるので、収容した物品の視認や出し入れが容易となり、上昇させた格納位置に収納部を収容したときには作業台での作業に支障を与えない。
【００１８】
更に、支持部材に働く収納部による回動トルクを軽減または相殺する釣り合い手段を設けて構成することができ、収納部を上昇させるのに大きなトルクが必要な場合には、これを軽減させる補助動力機構を設けたり、収納部の降下速度が速くなり過ぎるような場合には、回動を抑制するダンパ等の手段を設けて、収納部内収納した物品の重量にかかわらず安定した昇降動作を行わせることができる。
【００１９】
更に、収納部は電気機器保持台で、これに電気機器接続のためのコンセントを設け、このコンセントへの電源接続が格納位置でオフ、引出し位置でオンとなるように構成することができ、収納部に電気機器を配置すれば、使用時に下降させればコンセントがオンとなって使用することができ、収容部に格納すれば電源オフとなるような使用方法にも採用することができる。
【００２０】
更に、収納部は水切り、水受けを備えた食器配列台で、出し入れ位置において食器を収容し、格納位置に上昇して収容部に設けられた温風発生器により食器を乾燥させる食器乾燥機として構成することができ、流し台の上方に設置して下降させた収納部に洗い上げた食器を並べ、上昇させて収容部内に格納したとき、収容部に設けた温風発生器により食器を乾燥させることができ、調理台等の上を占拠しない食器乾燥機を構成することができる。
【００２１】
更に、支持部材は回動支点から前後方向への回動可能に構成され、格納位置にある収容部を任意方向に回動させて昇降移動させるように構成することができ、対面キッチンのような場所に設置した場合に厨房側とダイニング側とに回動移動させて両方から利用することができる。
【００２２】
【発明の実施の形態】
以下、添付図面を参照して本発明の一実施形態について説明し、本発明の理解に供する。
【００２３】
本発明の昇降収納装置は、収納部を回動により上方位置とそのほぼ真下の下方位置との間に昇降動作させるもので、厨房の流し台や調理台等の上方に配置した場合の実施形態について以下に説明する。
【００２４】
図１は本実施形態に係る昇降収納装置の構成と動作を説明する側面図で、昇降収納装置Ａは、壁面４に沿って配設された調理台６の上方に配設されており、図１（ａ）に示すように、収容部５内に格納された収納部１は、この位置を上昇位置として回動機構２により（ａ）〜（ｅ）の順に示すように、ほぼ１８０度回動して収容部５のほぼ真下の下降位置に回動移動し、逆に下降位置から上昇位置に回動移動して昇降できるように構成されている。
【００２５】
前記収容部５は、前面及び下面開放のキャビネット状に形成され、前面の開放部は扉５ａによって開閉自在に形成されている。収納部１を出し入れするときには扉５ａを開けば前面開放となり、収納部１の出入りは自由であり、収納部１を格納して扉５ａを閉じれば、収納部１が前面開放のラック状に形成されている場合でも収容部５内に隠して美観を損なわず、またホコリ等の侵入も防ぐことができる。
【００２６】
収納部１を上昇位置と下降位置との間に昇降させる回動機構２は、図２に拡大図示するように構成されている。
【００２７】
図２において、回動機構２は、収容部５の両側内壁面の回動支点Ｐに回動自在に支持され、その自由端を収納部１の両側外壁面の支持支点Ｏに回動自在に支持させた支持部材７と、前記回動支点Ｐに同心で非回転に設けられた固定輪８と、前記支持支点Ｏに同心で収納部１と一体に回動する回動輪９と、固定輪８と回動輪９との間に掛け渡した姿勢維持ベルト１１と、前記固定輪８と同心で支持部材７と一体に回動する連動輪１０（図３及び図４参照）と、この連動輪１０と連結軸１３との間に掛け渡された連動ベルト１２とを備えて構成され、更に、この回動機構２は図３の正面図に示すように、左右対称位置に回動機構２L 、２R として一対に設けられ、それぞれの間は前記連結軸１３で連結されて回動機構２L 、２R が同期回動できるように構成されている。
【００２８】
収納部１は、図１（ａ）に示す上昇位置から、その最下部の前方に設けられた把手１ａを持って収容部５から引き出しつつ引き下ろせば、支持部材７で支持されて回動するので、ほぼ１８０度の回動で図１（ｅ）に示すように収容部５の真下の下降位置に降下させることができる。この下降位置は調理台６と収容部５との間で、調理台前に立った人のアイレベルに対応する高さに設定すると、収納部１への物品の出し入れ等は容易に行うことができる。また、下降位置において収納部１が収容部５の下端から露出する部分は大きいほど物品の出し入れは容易となるが、露出量を大きくすると回動機構２の一部が外部に露出して外観上で好ましくなく、図１に示すように、収容部５の高さ寸法は、収納部１を把手１ａを下端から露出させた状態で格納できるようにし、支持部材７のアーム長による収納部１の回動半径は、回動時の収納部１の前方への振り出し量を小さく、且つ回動操作を容易にするため、回動支点Ｐ及び支持支点Ｏの位置、支持部材７のアーム長は好ましい状態に設定されている。
【００２９】
図１、図２に示したように、収納部１の支持支点Ｏは収納部１の姿勢が水平に保たれる位置になく、また、収納する物品の重量や収納位置によっても姿勢変動してしまうので、収納部１がどの回動位置にあっても常に一定の姿勢に保つため、回動機構２に姿勢規制手段が設けられている。この姿勢規制手段は、前記固定輪８、回動輪９、姿勢維持ベルト１１により構成されており、この動作を図２、図４を参照して説明する。
【００３０】
図４において、収容部５に設定された回動支点Ｐを軸心として収容部５の内側面に取り付けられた支持軸１４に、支持部材７の一端が回動自在に支持され、固定輪８が支持軸１４と同心に固定されている。一方、収納部１の外側面の支持支点Ｏに固定された回動軸受け１５には、支持部材７の他端に設けられた回動軸７ａが回動自在に支持され、回動輪９が前記回動軸７ａと同心で軸受け１５に固定されている。この回動輪９と前記固定輪８との間には図２に示すように姿勢維持ベルト１１が掛け渡されているので、収納部１は回動輪９が姿勢維持ベルト１１を通じて収容部５に固定された固定輪８に連結されていることから、支持支点Ｏを中心として傾く方向に回動せず、この状態は収納部１を回動支点Ｐまわりに回動させたときにも維持されるので、上昇位置と下降位置との間の回動によっても水平状態が維持される。この姿勢維持手段の構成は、上記のようなプーリ（固定輪８及び回動輪９）とベルト（姿勢維持ベルト１１）との組み合わせでなく、ギアとタイミングベルトまたはチェーン等の組み合わせによっても構成することができる。
【００３１】
上記姿勢維持手段及び支持部材７は、収納部１の両側に一対に設けられているので、これらを同期回動させるため、図４に示すように回動支点Ｐと同心に支持軸１４に回動自在で支持部材７に固定された連動輪１０と、収容部５の対向する両側面間に回動自在に配設された連結軸１３との間に、連動ベルト１２が掛け渡され、両側の支持部材７を同期して回動させている。また、前記連結軸１３の外径は連動輪１０の外径より小さく設定されているので、減速による回動速度を抑制するトルクが支持部材７に加わり収納部１の降下時に収納部１の重量により急激に降下することが抑えられる。更に、連結軸１３または支持部材７にロータリーダンパやバネ等による釣り合い手段を設けて、収納部１が降下するときの回動速度を抑制し、上昇するときの回動トルクを軽減させることによって、降下と上昇との回動トルクの均一化を図ると共に上昇動作を楽に行うようにすることができる。この釣り合い手段は、支持部材７そのものの回動トルクを制御するように、収容部５の両内側面にダンパ等を設けて構成することもできる。また、連結軸１３にモータを連結して、これを収納部１の回動の補助動力としたり、制動を加えるように作用させたり、あるいは電動により昇降動作を行わせることもできる。
【００３２】
前記連結軸１３の配設位置は、図１または図２に示すように、収容部５の後方の上方隅角部が望ましく、その他の位置では収容部５内に無駄なスペースを増やすか、収納部１の高さ寸法を小さくしなければならなくなる。収容部５の後方の上方隅角部は、収容部１が下降位置方向に回動する反対側であり、図１（ａ）に示すように収容部５内のスペースいっぱいに収納部１を無駄なく収容させた場合でも、収納部１の上部後方に連結軸１３を避ける切り欠き部分を形成するだけでよい。この収納部１の上部後方部分は、収納上デッドスペースとなりやすい部分なので、切り欠くことによる収納スペースの減少に大きな影響を与えることはない。
【００３３】
上記構成になる昇降収納装置Ａは、厨房で使用する食器や食品の収納だけでなく、電気機器の収納場所としても利用価値がある。例えば、図５に示すように、収納部１にコンセント１６を設け、このコンセント１６への電源接続を収納部１の下降位置でオン、上昇位置でオフとなるように構成すると、収納部１に収容した電気機器２０は、使用するときには収納部１を下降させ、使用しない状態では上昇位置に格納できるので、調理台６等の上に常時置いておくと邪魔になるものでも有効に利用することができる。
【００３４】
また、図６に示すように、収納部１は水切り棚１７や水受け皿１８等を備えた食器の配列部とし、収容部５に温風発生器１９を設けて構成し、下降位置で洗い上げた食器を収容して上昇位置に回動させると、収容部５に格納した状態で食器の乾燥を行うことができ、狭い調理台６等の上を占拠しない有用な食器乾燥機を構成することもできる。
【００３５】
更に、図７に示すように、収納部１は前面から後面に素通しのラック状に形成すると、対面キッチンのように厨房側とダイニング側との両方から収納部１を利用することができる。この構成は更に発展させて、図８に示すように、収容部５を厨房とダイニングとの間に吊設し、収納部１を厨房側とダイニング側とに回動できるようにすることもでき、両側で使用する用途をより向上させることができる。
【００３６】
以上説明した実施形態は、昇降収納装置Ａを厨房で使用する場合の具体例としたが、その他の場所での使用においても有効に活用させることができる。例えば、事務所などでは設置した複写機、ファクシミリ、コンピュータ等の上方空間を有効利用して、トナーカートリッジ、感熱用紙、記憶ディスク、クリーナ、マニュアル類等、常時は使用しない物品の収納場所を提供することができる。また、工場等の作業スペースでは、工具、測定器、補充部品等の収納場所として利用することができる。
【００３７】
【発明の効果】
以上の説明の通り本願の第１発明によれば、収納部を回動により上方位置からその真下の下方位置に降下できるため、昇降距離が大きくなり、上方位置をより高い位置に設定しても下降させれば自由に収納した物品を出し入れすることができる。また、下降させた下方位置が上方位置の真下であると、収納部の前面への突出がなく、下方に作業台等があっても下降させたままの状態で作業に支障をきたすことが少なく、収納部への物品の出し入れを伴う作業を行うこともできる。
【００３８】
更に、上方位置からその真下の下方位置への昇降は、直線的な移動でなく回動させることによって行うので、垂直方向への昇降操作に比べて昇降動作、特に上昇方向への移動を楽に行うことができる。
【００３９】
また、支持部材による１点支持の回動であっても、回動支点に固定された固定輪と収納部の支持支点に固定された回動輪との間にベルトが掛け渡されているので、回動輪は姿勢維持ベルトの緊張を受けて収納部の姿勢が傾くことが規制され一定の姿勢が維持される。
しかも、一対の支持部材を連結軸で双方を連結することにより同期回動できるようにすると共に、この連結軸は収容部の上方隅角部に設けることにより収容部内に無駄なスペースを設けることなく配設することができる。
特に、連動輪と連結軸との間に連動ベルトを掛け渡して両側の支持部材を同期して回動させるとき、連結軸の外径が連動輪の外径より小さい関係から減速による回動速度を抑制するトルクが支持部材に加わり収納部の降下時に収納部の重量により急激に降下することが抑えられる。
【図面の簡単な説明】
【図１】本発明の実施形態に係る昇降収納装置の構成と動作を説明する側面図。
【図２】昇降機構の構成を示す側面図。
【図３】昇降機構の構成を示す正面図。
【図４】昇降機構の構成を示す部分構成図。
【図５】収納部を電気機器配置部とした例を示す側面図。
【図６】昇降収納装置に食器乾燥器を配設した例を示す側面図。
【図７】昇降収納装置を対面キッチンに適用した例を示す側面図。
【図８】収納部を双方向回動可能とした構成を示す側面図。
【図９】従来例に係る昇降収納装置の概略構成を示す側面図。
【符号の説明】
Ａ  昇降収納装置
Ｏ  支持支点
Ｐ  回動支点
１  収納部
２  回動機構
５  収容部
６  調理台（作業台）
７  支持部材
８  固定輪
９  回動輪
１０  連動輪（連動手段）
１１  姿勢維持ベルト
１２  連動ベルト（連動手段）
１３  連結軸
１６  コンセント
【図１】
0003787213.tif 000002
【図２】
0003787213.tif 000003
【図３】
0003787213.tif 000004
【図４】
0003787213.tif 000005
【図５】
0003787213.tif 000006
【図６】
0003787213.tif 000007
【図７】
0003787213.tif 000008
【図８】
0003787213.tif 000009
【図９】
0003787213.tif 000010